(57)【要約】      （修正有）【課題】個人が事業所に長期雇用されることなく自己に都合の良い時間帯に自宅以外の施設の個室で内職に準じた作業を行い、且つ必要があれば付近に居る施設内の施設要員から作業に纏わる助言などを受け、その作業によって生じた製品を施設内で買い取ってもらう事で利益を得ることができる施設を提供する。【解決手段】一つの施設に外輪壁２４に囲われたフロアに複数の内職型作業室５や、受付カウンター３と敷居２１で構成される受付所と、納品所カウンター４と敷居２１で構成される納品所を設けることを特徴とする。【選択図】図１
0003142345.tif 000002
【実用新案登録請求の範囲】
【請求項１】
複数の個室を有する建物であって、建物内に、受付所、内職に準じた作業が出来る個室、製品を買い取る納品所を有する事を特徴とする内職のような作業を体験することが出来る施設。
【考案の詳細な説明】
【技術分野】
【０００１】  本考案は、品物の買取をする機能を有する事業所、軽工業を実施する作業場に関する。
【背景技術】
【０００２】  従来、個人が内職を行う場合、その個人が事業所から発せられる内職の依頼を受けた上で自宅などの自己の常駐する居所にて内職をしていた。しかし、それらは、内職を依頼する事業所の作業場の一部又は全部を個人の居所に仮設しただけのものである。【０００３】  個人が内職を行う為の自己の常駐する居所による作業場の利点は、内職を行う人が、自己の都合の良い時間帯に作業を行えることにある。しかし、その内職の作業場には、その付近に、作業場で製作される製品を査定したり、作業そのものを指揮監督する人間が居る訳ではなく、内職の作業者は、作業に纏わる助言が必要な時に直ちに助言を受けられる状態ではない。【０００４】  なお、本考案に関連する公知技術として次の特許文献１を挙げることができる。【０００５】
【特許文献１】  特許公開２００４−４４１０８
【考案の開示】
【考案が解決しようとする課題】
【０００６】  上記の如く、従来技術に係る内職の作業場は、作業者の時間的都合に配慮されただけの機能であり、事業所直轄の作業場とは異なり、作業者が作業に手間取った際に作業の指揮監督や助言を直ちに受けられる状態ではないので、内職の作業場で作られる製品に事業所直轄の作業場で作られる製品と同程度の品質を有させる事は難しい。【０００７】  このため、内職で製作された製品は、同じ規格の製品を作る事業所直轄の作業場の製品と比べ、外観や構造が粗雑で壊れやすいものになっているのが現状である。【０００８】  本考案は、このような点を考慮し成されたものであり、その目的は、娯楽施設のような複数の個室を有する建造物内部に対し、来場者を受付けて一回８時間以内の労働契約を行い人頭の整理をする受付所と、内職のような作業を行う為の作業室、それに作業室で製作された製品を買い取る為の納品所を設置することで、個人が事業所に長期雇用されることなく、自己に都合の良い時間帯に自宅以外の個室で内職に準じた作業を行い且つ、必要が有れば付近に居る施設要員から作業に纏わる助言などを受け、その作業によって生じた製品を事業所に買い取ってもらう事で利益を得ることを可能にすることにある。
【課題を解決するための手段】
【０００９】  上記の目的を達成する本考案の施設は、内職に準じた作業が出来る設備を有する複数の個室が設置されたフロアであって、施設人口付近に、来場者に対する労働契約や個室の割り当てを行う業務がなされる受付所が設置されると共に、施設奥付近に、来場者が個室で製作した製品を査定の上で買い取る為の納品所が設置されている事を特徴とする。【００１０】  一例として、前記受付所には、来場者に手渡す事でその来場者に個室を割り当て且つ複数の来場者が個々に製作した製品をその製作者毎に区別する為の、整理券を兼ねた個室の鍵が置かれている。
【考案の効果】
【００１１】  以上説明したように本考案によれば、施設の内部に、内職に準じる作業を行う為の複数の個室と、それらに来場者を誘導する為の受付所や、施設内で完成した製品を査定した上で買い取る納品所を設置するようにしたので、個人が、事業所の長期雇用を受けることなく、自身の都合の良い時間帯に自身の主たる居所以外の部屋で内職に準じた作業を行いその作業によって生じた製品を換金する事で利益を得ることが可能になる。この施設を、例えば娯楽施設の如く人が集まりやすい場所で運営すれば、低所得者に対する生活支援、未成年者に対する安全な就労場所の提供、各種事業所の労働力不足に対する労働力の補填等に極めて有効である。
【考案を実施するための最良の形態】
【００１２】  以下、本考案の実施の形態を図面に基づき詳細に説明する。【００１３】  図１から図２は、本考案の第１の実施の形態に係り、図１はその上部から見た横断面図、図２はその整理券を兼ねた個室の鍵の外観斜視図である。【００１４】  図１で示すように、本考案は、外輪壁２４に囲われたフロアに複数の内職型作業室５や、受付カウンター３と敷居２１で構成される受付所と、納品所カウンター４と敷居２１で構成される納品所を設けて、一つ施設内で製造や組立と製品の納品による報酬の受理を行えるようにしたものである。【００１５】  図１、図２で示すように、施設内の受付カウンター３には、個室での作業を希望する来場者２に対し労働契約をする為の、その作業一回につき８時間以内の労働時間やその他の労働条件を明示した労働契約書２７や、来場者に内職型作業室５という個室を割り当てる為の整理券兼鍵１９が用意されている。【００１６】  図１で示すように、内職型作業室５は、内側壁２２で区切られ、ドア２３の開閉で来場者が出入する仕組を成し、室内には、内職に準じた作業をする為の作業台１０や、作業者が座る為のソファ８又は椅子１１が設置され、室内の空間には内職に準じる作業で製品を作る為の材料９が用意されている。【００１７】  図１で示すように、施設内には、来場者２や受付の手続きを済ませた作業者１６が休憩を行う為のトイレ６や手洗いをする手洗い場７があり、更に施設内の人間が飲食をする為のジュースやお菓子を販売する自動販売機１４が設置されている。【００１８】  図１で示すように、防火の為、屋外に灰皿２６を設置する事で、人が施設内で喫煙をしないようにする。【００１９】  図１で示すように、施設内には、必ず助言員２５が常駐できて、内職型作業室５内の作業者１６の求めに応じ、何時でもその助言員２５が作業者１６に作業に纏わる指揮監督や助言を行えるようにするため、助言員２５の待機場所たるソファ８が施設内に点在しているようにする。【００２０】  図１で示すように、施設は作業場という特性から、必ずゴミが出るため、施設内の至る所にゴミを捨てるためのゴミ箱１３が置かれる。【００２１】  図１、図２で示すように、施設内には無数のドア２３が設置されていて、人や物資の往来をしやすいように配慮されていて、その内の内職型作業室に設けられたドア２３だけは、整理券兼鍵１９によって施錠及び開錠が出来る仕組になっている。【００２２】  図１で示すように、施設内の納品所カウンター４は、作業者１６が内職型作業室５で製作した完成品１５を載せて、その完成品１５を施設要員である受品係１８が品質を査定の上現金で買取を行う機能を有すると共に、作業者１６が現金を得た上で退場をする前に整理券兼鍵１９を返却する場にもなっている。
【産業上の利用可能性】
【００２３】  本考案は、全ての産業分野の内、労働力の一部又は全部を外部の内職をする者に依存をしている産業分野で利用する事が出来る。
【図面の簡単な説明】
【００２４】
【図１】  本考案の第１の実施の形態に係る内職のような作業を体験することが出来る施設の上部から見た横断面図である。
【図２】  図１の内職のような作業を体験することが出来る施設の内部の受付所に置かれる複数の整理券兼鍵の外観斜視図である。
【符号の説明】
【００２５】  １        玄関
２        来場者（施設の客）
３        受付カウンター
４        納品所カウンター
５        内職型作業室
６        トイレ
７        手洗い場
８        ソファ
９        材料
１０      作業台
１１      椅子
１２      非常口のドア
１３      ゴミ箱
１４      自動販売機
１５      完成品
１６      作業者（施設の客）
１７      受付係（施設要員）
１８      受品係（施設要員）
１９      整理券兼鍵
２０      トレー
２１      敷居
２２      内側壁
２３      ドア
２４      外輪壁
２５      助言員（施設要員）
２６      灰皿
２７      労働契約書
２８      消火器
【図１】
0003142345.tif 000003
【図２】
0003142345.tif 000004